(57)【要約】【課題】インキ収容管内のインキが光劣化することを回避し、しかもスリムな外観を得ることができる多芯筆記具を提供する。【解決手段】軸筒２が前軸３と該前軸３の後端に連結される後軸４とからなる。軸筒２内に複数の筆記体６を前後方向に移動可能に収容する。各々の筆記体６の後端に操作体７を連結する。各々の操作体７を後方に付勢する複数のスプリング８を後軸４内に収容する。後軸４の側壁に前後方向に延びる複数の窓孔４１を径方向に貫設する。後軸４の内壁にスプリングの前端を支持するスプリング支持部材９を固定する。各々の窓孔４１から径方向外方に各々の操作体７を突出させる。前軸３及びスプリング支持部材９を不透明材料により構成し、後軸４を透明材料により構成する。【選択図】  図１
2011088337.tif 000002
【特許請求の範囲】
【請求項１】
軸筒が前軸と該前軸の後端に連結される後軸とからなり、前記軸筒内に複数の筆記体を前後方向に移動可能に収容し、前記各々の筆記体の後端に操作体を連結し、前記各々の操作体を後方に付勢する複数のスプリングを後軸内に収容し、前記後軸の側壁に前後方向に延びる複数の窓孔を径方向に貫設し、前記後軸の内壁にスプリングの前端を支持するスプリング支持部材を固定し、前記各々の窓孔から径方向外方に前記各々の操作体を突出させ、一つの操作体を窓孔に沿って前方にスライドさせることにより、その一つの操作体に連結された筆記体のペン先を前軸の前端孔から突出させるとともに、先に突出状態にあった他の筆記体のペン先を軸筒内に没入させてなる多芯筆記具であって、前記前軸及び前記スプリング支持部材を不透明材料により構成し、前記後軸を透明材料により構成したことを特徴とする多芯筆記具。
【請求項２】
前軸とスプリング支持部材とが前後に接続してなる請求項１記載の多芯筆記具。
【発明の詳細な説明】
【技術分野】
【０００１】
本発明は、多芯筆記具に関する。詳細には、軸筒内に複数本の筆記体を前後方向に移動可能に収容した多芯筆記具に関する。
【背景技術】
【０００２】
従来、この種の筆記具において、特許文献１には、外套筒の先端部及び中央部のみに透明部を形成した多色ボールペンが開示されている。
【先行技術文献】
【特許文献】
【０００３】
【特許文献１】特許第３０２２５４８号公報
【発明の概要】
【発明が解決しようとする課題】
【０００４】
前記特許文献１の筆記具は、軸筒の一部が透明であるが、全体が不透明であるため、全体的に重い印象を与え、スリムな外観を得ることができない。また、軸筒全体を透明にする場合、筆記体のインキ収容管が透明であると、インキ収容管内のインキが光に晒され劣化するおそれがある。
【０００５】
本発明は、前記従来の問題点を解決するものであって、インキ収容管内のインキが光劣化することを回避し、しかも、スリムな外観を得ることができる多芯筆記具を提供しようとするものである。尚、本発明において、軸筒において、「前」とは前端孔側を指し、「後」とはその反対側を指し、筆記体において、「前」とはペン先側を指し、「後」とはその反対側を指す。
【課題を解決するための手段】
【０００６】
＜１＞本願の第１の発明は、軸筒２が前軸３と該前軸３の後端に連結される後軸４とからなり、前記軸筒２内に複数の筆記体６を前後方向に移動可能に収容し、前記各々の筆記体６の後端に操作体７を連結し、前記各々の操作体７を後方に付勢する複数のスプリング８を後軸４内に収容し、前記後軸４の側壁に前後方向に延びる複数の窓孔４１を径方向に貫設し、前記後軸４の内壁にスプリングの前端を支持するスプリング支持部材９を固定し、前記各々の窓孔４１から径方向外方に前記各々の操作体７を突出させ、一つの操作体７を窓孔４１に沿って前方にスライドさせることにより、その一つの操作体７に連結された筆記体６のペン先６１を前軸３の前端孔３１から突出させるとともに、先に突出状態にあった他の筆記体６のペン先６１を軸筒２内に没入させてなる多芯筆記具であって、前記前軸３及び前記スプリング支持部材９を不透明材料により構成し、前記後軸４を透明材料により構成したことを要件とする
【０００７】
前記第１の発明の多芯筆記具１は、前軸３及びスプリング支持部材９を不透明材料により構成したことにより、筆記体６のインキ収容管を透明材料により構成しても、インキ収容管内のインキが光劣化することを十分に回避しできる。また、前記第１の発明の多芯筆記具１は、後軸４を透明材料により構成したことにより、後軸４の外径が太くなっても、スリムな外観を得ることができる。
【０００８】
＜２＞本願の第２の発明は、前記第１の発明の多芯筆記具１において、前軸３とスプリング支持部材９とが前後に接続してなることを要件とする。
【０００９】
前記第２の発明の多芯筆記具１は、前軸３とスプリング支持部材９とが前後に接続してなることにより、前軸３とスプリング支持部材９との間からインキ収容管に光が当たることを回避できる。
【００１０】
尚、本発明で、透明とは内部が透視可能であればよく、半透明や着色透明を含む。
【発明の効果】
【００１１】
本発明の多芯筆記具は、インキ収容管内のインキが光劣化することを回避し、しかも、スリムな外観を得ることができる。
【図面の簡単な説明】
【００１２】
【図１】本発明の多芯筆記具の実施の形態における全ペン先没入時（非筆記時）を示す縦断面図である。
【図２】図１の多芯筆記具の一つのペン先が突出した状態（筆記時）を示す縦断面図である。
【図３】図１の外観図である。
【発明を実施するための形態】
【００１３】
図１乃至図３に本発明の実施の形態を示す。
本実施の形態の多芯筆記具１は、軸筒２内に複数本（具体的には２本）の筆記体６が前後方向に移動可能に収容される。前記各々の筆記体６の後端には操作体７が取り付けられる。前記軸筒２内には、前記筆記体６の本数に対応した複数（具体的には２個）のスプリング８が収容される。前記各々の操作体７は、前記各々のスプリング８により、後方に付勢されている。本実施の形態では、軸筒２内に収容する筆記体６の本数は、２本であるが、これ以外にも、例えば、３本、４本、５本、６本であってもよい。
【００１４】
（スプリング）
前記スプリング８は、具体的には圧縮コイルスプリングからなる。前記スプリング８の前端部及び後端部には、密着巻部が形成される。
【００１５】
（軸筒）
前記軸筒２は、先細状の円筒体からなる前軸３と、該前軸３の後端部と螺合または圧入により取り付けられる円筒状の後軸４とからなる。前記前軸３の前端には、筆記体６のペン先６１が突出可能な前端孔３１が軸方向に貫設される。前記前軸３は及び後軸４は、合成樹脂（例えば、ポリカーボネイト等）の射出成形により得られる。前記前軸３は、不透明な合成樹脂（着色不透明の合成樹脂）により構成され、前記後軸４は透明な合成樹脂により構成される。
【００１６】
前記後軸４の後部の側壁には、複数本（具体的には２本）の前後方向に延びる細長状の窓孔４１が、径方向に貫設される。前記２本の窓孔４１は、互いに、軸線に対して対称の位置（１８０度対称位置）に形成される。また、前記後軸４の後端部には、軸方向に貫通し且つ径方向外方に開口する開口部が形成される。前記開口部は、後軸４の後端（即ち軸筒２の後端）において窓孔４１と連通され、それにより、窓孔４１後端が後方に切り欠かれて後方に開口されている。
【００１７】
また、前記後軸４の窓孔４１の相互間の側壁内面には、前後方向に延びるリブよりなる係止壁部４２が一体に形成され、前記係止壁部４２に、ペン先６１が突出した際の筆記体６の操作体７の後端が係止される。尚、前記係止壁部４２は、軸筒２（後軸４）の内壁に一体に形成してもよいし、軸筒２内に別部材を収容配置することによって設けてもよい。
【００１８】
（隔壁）
また、前記軸筒２の内壁（即ち後軸４の内壁）には、前後方向に延び且つ径方向内方に突出する２本のリブよりなる隔壁４３が、軸線に対して対称位置に一体に形成される。
【００１９】
（スプリング支持部材）
軸筒２の内壁（即ち後軸４の内壁）には、円筒状のスプリング支持部材９が固着される。前記スプリング支持部材９は、筆記体６が挿通される複数（具体的には２個）の内孔９１が軸方向に貫設されている。筆記体６を軸筒２内に収容した状態において、前記スプリング支持部材９の後面と、各々の操作体７の鍔部７５の前面との間には、スプリング８が配置される。前記各々のスプリング８の内部に筆記体６（即ちインキ収容管６２）が遊挿されるとともに、各々のスプリング８の前端がスプリング支持部材９の後面により係止され、各々のスプリング８の後端が操作体７の鍔部７５の前面に係止される。尚、前記スプリング支持部材９は、軸筒２内壁に一体に形成されてもよい。前記スプリング支持部材９は、不透明な合成樹脂（例えばポリプロピレン）の射出成形により得られる。
【００２０】
また、前記スプリング支持部材９の後面の各々の内孔９１の周囲には、周状壁部よりなる保持部９２が形成される。前記各々の保持部９２の内面には、各々のスプリング８の前端部（即ち密着巻部）外面が圧入保持される。
【００２１】
前記スプリング支持部材９の前端と、前記前軸３の後端とは前後方向に当接される。
【００２２】
（蓋部）
前記後軸４の後端部には、前記開口部を開閉自在にする蓋部５が回動自在に設けられる。前記蓋部５の前面には、当接壁部５１が形成される。前記当接壁部５１に、ペン先没入状態の筆記体６の後端に連結された各々の操作体７の後端が当接される。蓋部５を後方に回動させ、開口部を開口させることにより、開口部から、互いに連結状態にある操作体７と筆記体６を取り出し、その後、開口部を通して、新たな筆記体６と操作体７を軸筒２内に挿入でき、筆記体６と操作体７を交換することができる。
【００２３】
（筆記体）
前記各々の筆記体６は、ボールペンレフィルであり、前端にボールが回転可能に抱持されたボールペンチップ（即ちペン先６１）と、該ボールペンチップを前端に備え且つ後端が開口されたインキ収容管６２とからなる。前記インキ収容管６２の内部には、剪断減粘性を有する水性ゲルインキ、低粘度の水性インキ、低粘度の油性インキ、または高粘度の油性インキからなるインキ６２ａが収容される。前記インキ６２ａが、剪断減粘性を有する水性ゲルインキ、低粘度の水性インキ、または低粘度の油性インキの場合、インキ収容管６２内のインキ６２ａの後端には、インキ６２ａの消費に伴い前進する高粘度流体からなる追従体６２ｂが充填される。前記インキ収容管６２は、透明な合成樹脂（例えばポリプロピレン）の押出成形体からなる。
【００２４】
また、前記ボールペンチップは、前端に回転可能に抱持されたボールをスプリング等により前方に付勢し、前端縁部の内面にボールを密接させる構成でもよい。また、ボールペンチップは、インキ収容管６２の前端開口部に圧入等により直接、取り付けてもよいが、本実施の形態ではペン先ホルダーを介してインキ収容管６２の前端開口部に固着される。尚、本発明では、前記筆記体６は、ボールペンレフィル以外に、例えば、シャープペンシルレフィル、マーキングペンレフィル、入力ペンレフィル等が挙げられる。
【００２５】
ペン先没入状態の筆記体６において、インキの後端がスプリング支持部材９の後端よりも前方に位置するよう、インキ６２ａがインキ収容管６２内に充填される。それにより、ペン先没入状態（保管状態）でインキ収容間内のインキ６２ａを前軸３及びスプリング支持部材９によって隠蔽することができ、インキの光劣化を確実に回避できる。
【００２６】
（操作体）
前記各々の筆記体６の後端（即ちインキ収容管６２の後端開口部）には、操作体７が取り付けられる。前記各々の操作体７は、後端部に形成され且つ軸筒２の窓孔４１から外部に突出する操作部７１と、該操作部７１の径方向反対側に設けられる前側突出部７２と、該操作部７１の径方向反対側の前側突出部７２の後方に設けられる後側突出部７３と、前端部に形成され且つインキ収容管６２の後端開口部に嵌入される嵌入部７４と、該嵌入部７４の後方に形成される鍔部７５とを備える。前記嵌入部７４は、インキ収容管６２の後端開口部に嵌入された際、インキ収容管６２の後端開口部を完全には塞がず、インキ収容管６２の内部と外部とを通気可能にする。また、筆記体６を軸筒２内に収容した状態において、前記鍔部７５の前面にスプリング８の後端が係止される。
【００２７】
筆記体６のペン先６１が没入状態のとき、その筆記体６に取り付けられた操作体７の後端部は、蓋部５の前面に形成された当接壁部５１に当接される。一方、筆記体６のペン先６１が突出状態のとき、その筆記体６に取り付けられた操作体７の後端部は、軸筒２の内壁に形成された係止壁部４２に係止される。
【００２８】
ペン先没入状態にある筆記体６の後端に連結された操作体７の前側突出部７２は、その操作体７の操作部７１を前方にスライド操作した際、先に突出状態にある他の筆記体６の後端に連結された操作体７の後側突出部７３と当接され、他の筆記体６のペン先突出状態が解除される。
【００２９】
（ペン先の出没）
本実施の形態におけるペン先６１の出没作動について説明する（図１及び図２参照）。
一つの操作体７の操作部７１をスプリング８の後方付勢に抗して窓孔４１に沿って前方にスライド操作すると、そのスライド操作された操作体７の前側突出部７２が、先に突出状態にある他の筆記体６の操作体７の後側突出部７３を径方向外方に持ち上げる。それにより、軸筒２内壁の係止壁部４２と操作体７との係止状態が解除され、他の筆記体６がスプリング８の後方付勢により後方に移動され、他の筆記体６のペン先６１が軸筒２内に没入され、他の筆記体６の操作体７の後端が蓋部５の前面の当接壁部５１に当接衝止される。前記他の筆記体６のペン先６１の没入と同時に、前記前方にスライド操作した操作体７に連結された筆記体６のペン先６１が、軸筒２の前端孔３１より外部に突出されるとともに、前方にスライド操作された操作体７の後端が軸筒２内壁の係止壁部４２に係止され、そのペン先突出状態が維持される。
【００３０】
本実施の形態の多芯筆記具１は、前軸３及びスプリング支持部材９を不透明材料により構成したことにより、筆記体６のインキ収容管６２を透明材料により構成しても、インキ収容管６２内のインキが光劣化することを十分に回避できる。また、本実施の形態の多芯筆記具１は、後軸４を透明材料により構成したことにより、後軸４の外径が太くなっても、スリムな外観を得ることができる。
【００３１】
本実施の形態の多芯筆記具１は、前軸３とスプリング支持部材９とが前後に当接（即ち接続）してなることにより、前軸３とスプリング支持部材９との間からもインキ収容管６２に光が当たることを回避できる。
【符号の説明】
【００３２】
１  多芯筆記具
２  軸筒
３  前軸
３１  前端孔
４  後軸
４１  窓孔
４２  係止壁部
４３  隔壁
５  蓋部
５１  当接壁部
６  筆記体
６１  ペン先（ボールペンチップ）
６２  インキ収容管
６２ａ  インキ
６２ｂ  追従体
７  操作体
７１  操作部
７２  前側突出部
７３  後側突出部
７４  嵌入部
７５  鍔部
８  スプリング
９  スプリング支持部材
９１  内孔
９２  保持部
【図１】
2011088337.tif 000003
【図２】
2011088337.tif 000004
【図３】
2011088337.tif 000005